(57)【要約】【課題】高い検出感度が得られ携帯性に優れたラインセンサ付きの表示装置を提供する。【解決手段】左右方向ラインセンサと、上下方向ラインセンサと、の２方向のラインセンサを設け、２方向のスキャンを行い、ラインセンサで得られた情報を相互に比較して補正することで、高い検出感度を得る。また、左右方向ラインセンサまたは上下方向ラインセンサを複数並列に設け、上下方向または左右方向のスキャン速度を検出できるようにすることで、高い検出感度を得る。また、表示部の補助容量としてのメモリ素子と、ラインセンサのバッファメモリとしてのメモリ素子と、を共通化して、携帯性を高める。【選択図】  図１
2004304289.tif 000002
【特許請求の範囲】
【請求項１】
映像表示部とラインセンサとを備え、被写体を画像データとして前記ラインセンサにより読み取り、読み取った前記画像データに基づいて前記被写体を画像として前記映像表示部に表示する表示装置であって、
第１方向に沿って配置され、前記被写体の前記第１方向とほぼ垂直な第２方向への相対的な第１の移動により、前記被写体を第１画像データとして得る第１のラインセンサと、
前記第２方向に沿って配置され、前記被写体の前記第１方向への相対的な第２の移動により、前記被写体を第２画像データとして得る第２のラインセンサと、
前記第２画像データを前記第１画像データと比較して、前記第２の移動に伴う前記第２画像データにおける前記第１方向への収縮・伸張量を補正する演算回路と、
を備えることを特徴とする表示装置。
【請求項２】
前記第１のラインセンサが、前記第１画像データを、前記第１方向にｐ個、前記第２方向にｑ個、マトリクス状に並んだデータであって、前記第２方向に連なるｑ個のデータを１つの第１データ列としてみたときに、この第１データ列が前記第１方向にｐ列だけ並んだデータとして得るものであり、
前記第２のラインセンサが、前記第２画像データを、前記第１方向にｊ個、前記第２方向にｋ個、マトリクス状に並んだデータであって、前記第２方向に連なるｋ個のデータを１つの第２データ列としてみたときに、この第２データ列が前記第１方向にｊ個だけ並んだデータとして得るものであり、
前記演算回路が、複数の前記第１データ列と複数の前記第２データ列とを比較して一致する第１、第２データ列を検索し、複数の検索済第２データ列の相互の間隔を、前記複数の検索済第２データ列に対応する複数の検索済第１データ列の間隔に一致させる補正をして、前記第２の移動に伴う前記第２画像データにおける前記第１方向への収縮・伸張量を補正する演算回路である、
ことを特徴とする請求項１記載の表示装置。
【請求項３】
映像表示部と、
前記映像表示部の外側位置にそれぞれ第１方向に走り且つ互いにほぼ平行に配置された複数のラインセンサであって、これらの複数のラインセンサのそれぞれに対して被写体を前記第１方向と垂直な第２方向に相対的に移動させることにより、前記ラインセンサのそれぞれが前記被写体を前記表示部に表示するための画像情報信号として読み取る、複数のラインセンサと、
前記複数のラインセンサのそれぞれで読み取った複数の前記画像情報信号を用いて前記移動の速度を算出する情報処理部と、
を備えることを特徴とする表示装置。
【請求項４】
前記複数のラインセンサのそれぞれに、時間間隔ｘのパルス信号に同期して被写体から画像情報信号を読み取らせ、
前記被写体における同一箇所から得られる同一の画像情報信号を、ｎ番目の前記パルス信号によって読み取ったラインセンサと、ｍ（ｍ＞ｎ）番目の前記パルス信号によって読み取った他のラインセンサとの距離ｄから、前記移動の速度ｄ／｛ｘ（ｍ−ｎ）｝を算出し、この移動の速度をもとに、前記移動に伴う前記画像情報信号の前記第２方向への収縮・伸張量の補正を行うものとして、前記情報処理部が構成されていることを特徴とする請求項３記載の表示装置。
【請求項５】
前記移動の速度を、前記映像表示部に表示することを特徴とする請求項３または請求項４記載の表示装置。
【請求項６】
液晶表示装置とラインセンサとを備え、
前記液晶表示装置は、
マトリクス状に並べられ、それぞれがゲート電極、ソース電極、およびドレイン電極を有し、ドレイン電極にメモリ素子および表示電極が電気的に接続された、複数のトランジスタと、
前記マトリクスにおける行方向に平行な複数のゲート電極線と、前記マトリクスにおける列方向に平行な複数のソース電極線と、
を有し、
各前記ゲート電極線はそれが対応する各行に並ぶ複数の前記トランジスタのそれぞれにおける前記ゲート電極と電気的に接続され、各前記ソース電極線はそれが対応する各列に並ぶ複数の前記トランジスタのそれぞれの前記ソース電極と電気的に接続されており、
前記ラインセンサは、前記行方向に並べられ、被写体を所定の時間間隔で読み取ってそれぞれセンサ信号を出力する、複数のセンサ素子を有し、
各前記センサ素子は対応する各前記ソース電極線と電気的に接続され、これにより、各前記メモリ素子に対応する各前記センサ素子からの各前記センサ信号を前記各メモリ素子に記憶可能としたことを特徴とする表示装置。
【請求項７】
切り替え可能な映像表示モードとセンサモードを有し、
前記映像表示モードの時には、外部からの各映像信号が、各前記ソース電極線を通じて各前記表示電極に伝達されると共に、各前記ソース電極線に各前記トランジスタを介して接続された補助容量としての各前記メモリ素子に蓄えられ、
前記センサモードの時には、前記ラインセンサにおける各前記センサ素子が、所定の時間間隔で順次出力する各センサ信号を、このセンサ素子が対応するソース線に接続された複数の前記トランジスタにおける各前記メモリ素子の１つに順次蓄積させる、
ことを特徴とする請求項６記載の表示装置。
【請求項８】
前記センサ素子が前記ソース電極線の本数と同数個、前記ソース電極線の本数の自然数倍数個、または前記ソース電極線の本数の自然数分の１個であり、前記センサ素子が、１本の前記ソース電極線に対して１個、１本の前記ソース電極線に対して自然数個、または自然数本の前記ソース電極線に対して１個、接続されていることを特徴とする請求項７または請求項８の表示装置。
【発明の詳細な説明】
【０００１】
【発明の属する技術分野】
本発明は表示装置、特にラインセンサを有する表示装置に関する。
【０００２】
【従来の技術】
近時、液晶表示装置は、多くの携帯型の装置に用いられている。すなわち、パーソナルコンピュータ、携帯型テレビ、ＰＤＡ（Ｐｅｒｓｏｎａｌ  Ｄｉｇｉｔａｌ  Ａｓｓｉｓｔａｎｃｅ）、ワードプロセッサ、等の携帯型の装置では、携帯性が重視され、薄型の表示装置が必要とされている。この薄型の表示装置としては、従来、液晶表示装置（ＬＣＤ）、プラズマディスプレイ、フラットＣＲＴ等が知られていた。この薄型の表示装置のうち、上記のような携帯型の装置では、バッテリー駆動する必要があるため、消費電力が少ないことが望ましい。この低消費電力の要求に対しては、液晶表示装置が適している。このため、液晶表示装置は、多くの携帯型の装置（携帯端末）で用いられている。
【０００３】
最近では、この液晶表示装置を有する携帯端末で、入力手段を合わせもつ端末の開発が進められている。このような入力手段を持つ携帯端末としては、入力手段としてのカメラと、携帯電話と、を組み合わせたカメラ付きの携帯電話がある。このカメラ付きの携帯電話は、カメラで撮影した画像を取り込む様にしたもので、液晶表示装置に表示し、送信できるようにしたものである。
【０００４】
また、紙面上の文字・画像情報等の取り込みや、個人認証のための情報入力手段（指紋など）として、エリアセンサやラインセンサの開発も進められている。このうち、エリアセンサは、光電変換素子をマトリクス状に配置したセンサであり、例えば、特開２００２−１７６１６２号公報や、特開平１１−２４１０５号公報の図７に示されている。このエリアセンサは、高精度で、被写体の形状を正確に読み取ることができるという長所がある。しかし、光電変換素子をマトリクス状に配置するため、携帯性や低消費電力の観点から不利であり、携帯端末に用いることには問題があった。
【０００５】
そこで、携帯性を重視した情報入力手段として、ラインセンサが注目されている。図９は、従来のラインセンサ付きの表示装置１０１を示す図である。表示装置１０１は、液晶表示装置からなる表示部１０２を有している。この表示部１０２の下側には、図中左右方向に走るラインセンサ１１０が設けられている。このラインセンサ１１０の下側には、ラインセンサからの検出情報を保持するバッファメモリと、線順次出力回路と、を有するデータ処理部１１５が設けられている。図９のラインセンサ１１０は、光電変換素子を線状に設けたセンサであり、被写体に対して相対的に手動で移動させながら情報を読み取る、走査型の情報入力装置である。このラインセンサ１１０は、線状に設けられているため、エリアセンサに比して、スペースが小さくてすみ、小型化できるため携帯性に富む。また、エリアセンサに比して少ない個数の光電変換素子で構成可能で、消費電力も低いものである。このようなラインセンサは、例えば、特開平１１−２４１０５号公報の図１に示されている。
【０００６】
【特許文献１】
特開２００２−１７６１６２号公報
【特許文献２】
特開平１１−２４１０５号公報
【０００７】
【発明が解決しようとする課題】
上記のようにラインセンサ付きの表示装置は、携帯性に優れている。しかし、ラインセンサ付きの表示装置は、被写体の形状を正確に読み取って収縮・伸張がない被写体の画像を得るには習熟性が求められる。すなわち、ラインセンサにおいては、被写体を手動で移動するかまたは被写体に対して手動で移動されるため、移動速度に差が生じる。例えば移動速度が速くなりすぎた場合、ラインセンサは飛び飛びにしか情報を得られなくなり、得られた画像は収縮する。また、移動速度が遅くなりすぎた場合、ラインセンサは同じ場所から多数の情報を得ることになり、画像は伸張する。このように、ラインセンサでは、被写体の形状を正確に読み取って収縮・伸張がない被写体の画像を得ることには、困難性がある。
【０００８】
本発明は上記問題点を鑑みてなされたもので、その目的は、被写体の形状を読み取って可及的に収縮・伸張がない被写体の画像を得ることができ、携帯性に優れたラインセンサ付きの表示装置を提供することである。
【０００９】
【課題を解決するための手段】
本発明の表示装置は、映像表示部とラインセンサとを備え、被写体を画像データとして前記ラインセンサにより読み取り、読み取った前記画像データに基づいて前記被写体を画像として前記映像表示部に表示する表示装置であって、第１方向に沿って配置され、前記被写体の前記第１方向とほぼ垂直な第２方向への相対的な第１の移動により、前記被写体を第１画像データとして得る第１のラインセンサと、前記第２方向に沿って配置され、前記被写体の前記第１方向への相対的な第２の移動により、前記被写体を第２画像データとして得る第２のラインセンサと、前記第２画像データを前記第１画像データと比較して、前記第２の移動に伴う前記第２画像データにおける前記第１方向への収縮・伸張量を補正する演算回路と、を備えることを特徴とする。
【００１０】
また、本発明の表示装置は、映像表示部と、前記映像表示部の外側位置にそれぞれ第１方向に走り且つ互いにほぼ平行に配置された複数のラインセンサであって、これらの複数のラインセンサのそれぞれに対して被写体を前記第１方向と垂直な第２方向に相対的に移動させることにより、前記ラインセンサのそれぞれが前記被写体を前記表示部に表示するための画像情報信号として読み取る、複数のラインセンサと、前記複数のラインセンサのそれぞれで読み取った複数の前記画像情報信号を用いて前記移動の速度を算出する情報処理部と、を備えることを特徴とする。
【００１１】
また、本発明の表示装置は、液晶表示装置とラインセンサとを備え、前記液晶表示装置は、マトリクス状に並べられ、それぞれがゲート電極、ソース電極、およびドレイン電極を有し、ドレイン電極にメモリ素子および表示電極が電気的に接続された、複数のトランジスタと、前記マトリクスにおける行方向に平行な複数のゲート電極線と、前記マトリクスにおける列方向に平行な複数のソース電極線と、を有し、各前記ゲート電極線はそれが対応する各行に並ぶ複数の前記トランジスタのそれぞれにおける前記ゲート電極と電気的に接続され、各前記ソース電極線はそれが対応する各列に並ぶ複数の前記トランジスタのそれぞれの前記ソース電極と電気的に接続されており、前記ラインセンサは、前記行方向に並べられ、被写体を所定の時間間隔で読み取ってそれぞれセンサ信号を出力する、複数のセンサ素子を有し、各前記センサ素子は対応する各前記ソース電極線と電気的に接続され、これにより、各前記メモリ素子に対応する各前記センサ素子からの各前記センサ信号を前記各メモリ素子に記憶可能としたことを特徴とする。
【００１２】
【発明の実施の形態】
以下、図面を参照にしつつ、本発明の第１〜第５の実施の形態の表示装置について説明する。これらの実施形態の表示装置は、映像表示部（表示部）と、ラインセンサと、を有する携帯型の表示装置である。この表示装置は、例えば、ＰＤＡ、携帯電話、小型テレビ、等として用いられる。この各実施の形態の表示装置は、２つのモードが選択可能になっている。映像表示モード時には、表示部は、通常の表示装置と同様に、ＰＤＡであればコンピュータ情報を、携帯電話であれば電話番号や時刻等を、小型テレビであればテレビ映像を、表示可能である。また、センサモード（ハンドスキャンモード）時には、表示部は、ラインセンサで読み取った被写体の情報に基づいてこの被写体を画像として表示可能である。本実施形態では、このようなラインセンサを有する携帯型の表示装置において、収縮・伸張が少ない被写体の画像が得られ、また、携帯性が高められた装置について説明する。以下では、５つの実施の形態について説明する。
【００１３】
（第１の実施の形態）
第１の実施の形態の表示装置は、映像表示部に液晶表示装置を用いたＰＤＡ（個人用デジタル補助装置）を示し、例えば、持ち運びができる小型コンピュータなどがある。
【００１４】
図１は、本発明の第１の実施の形態の表示装置１を示す図である。図１の装置は、映像表示モードと、センサモードと、の２つのモードが選択できるように構成されている。この装置は、４．５インチ（約１１．２５ｃｍ）×４．５インチの映像表示部２と、図中左右方向（第１方向）に沿って配置された長さ９ｃｍの左右方向ラインセンサ（第１のランセンサ）１０と、上下方向（第２方向）に沿って配置された長さ９ｃｍの上下方向ラインセンサ（第２のラインセンサ）２０と、を備える。このＰＤＡは、映像表示モードにおいては、通常のＰＤＡと同様の動作を行う。センサモードにおいては、例えば、横の長さ９ｃｍ、縦の長さ９ｃｍの写真を表示部２の表面に置き、この写真を上下方向に、その後左右方向にそれぞれ手で動かして、ラインセンサ１０、２０により写真から画像情報信号を２回読み取り、読み取った２回の画像情報信号をもとに映像表示部２に表示するものとして構成されている。
【００１５】
図１の装置の表示部（映像表示部）２は、（４５０×４５０）個の画素からなる液晶表示装置である。１つの画素の大きさは、２５０μｍ×２５０μｍである。この装置は上述のように２つの表示モードを有し、そのうちの通常表示モード（映像表示モード）において、表示部２には、コンピュータ情報が表示される。この表示部２の外周部の下側には、上記左右方向ラインセンサ１０が設けられている。この左右方向ラインセンサ１０は、３６０個のセンサ素子で構成されている。３６０個のうち、１／３ずつが、ＲＧＢのうちの１つの色を検出するものとして割り当てられている。つまり、隣り合って並んでいる３個のセンサ素子が１つの組となり、ＲＧＢの色について検出する。このセンサ素子は、光センサまたは容量センサを用いることができる。それぞれのセンサ素子の大きさは、例えば２５０μｍ×２５０μｍである。この左右方向ラインセンサ１０の下側には左右方向データ処理部１５が形成されている。この左右方向データ処理部１５は、バッファメモリと、線順次出力回路と、を有している。この左右方向データ処理部１５の下側には、左右方向移動位置表示部１９が設けられている。この左右方向移動位置表示部１９は、多数の発光素子からなり、１ｃｍ間隔に所定の発光素子が点灯される。つまり、１ｃｍ間隔に点状の光が表示されている。この点状の光は、センサモードを選択することにより点灯し、その後左右方向スキャンボタン（図示しない）を押すことにより視覚的に５ｃｍ／秒で左から右に移動するものとして把握される。この点状の光の移動速度は、左右方向スキャンの際のスキャン速度の目安を示すものである。つまり、左右方向スキャンの際には、作業者は、この点の動きに合わせて、写真を左から右に動かせばよい。同様に、表示部２の外周部の右側には、上記左右方向ラインセンサ１０、上下方向データ処理部２５、上下方向移動位置表示部２９が設けられている。上下方向移動位置表示部１９には、１ｃｍ間隔で点状の光が表示されている。この点状の光は、センサモードを選択することにより点灯し、その後上下方向スキャンボタン（図示しない）を押すと５ｃｍ／秒で上から下に移動するものとして把握される。上下方向スキャンの際には、作業者は、この点の動きに合わせて、写真を上から下に動かせばよい。
【００１６】
上記の、ラインセンサ１０、２０は、センサモード時に、所定の被写体、例えば写真を読み取るものである。具体的には、例えば、９ｃｍ×９ｃｍの写真を準備し、写真の画像面を表示面２とを対向させて、写真を上下方向および左右方向の一方にその後他方に手動で移動させて、写真を読み取る。左右方向ラインセンサ１０は、この被写体の上下方向への相対的な第１の移動により、この被写体から第１画像情報信号を読み取り、第１画像データを得る。また、上下方向ラインセンサ２０は、この被写体の左右方向への相対的な第２の移動により、この被写体を第２画像情報信号を読み取り、第２画像データを得る。この被写体の移動の推奨移動速度は例えば５ｃｍ／秒であり、装置の操作者は、左右方向移動位置表示部１９および上下方向移動位置表示部２９の点の位置に合わせて、この推奨移動速度に近い速度になるように写真を左右に又は上下に動かす。もちろん、表示装置の方を動かして読み取りを行うこともできる。ラインセンサ１０、２０によって読み取られた２つの画像情報信号は、それぞれ、データ処理部１５、２５のバッファメモリに保存される。バッファメモリにそれぞれ保存された画像情報信号は、データ処理部１５、２５の線順次出力回路により、順次、ＣＰＵメモリ（図示しない）に送られる。このＣＰＵメモリに送られた画像情報信号から、２つの画像データが得られる。この２つの画像データは、後述するように演算処理回路（図示せず）によって処理される。この演算処理回路により得られた画像が、表示部２に送られてそこに表示される。
【００１７】
このように、図１の表示装置は、映像表示部１と、ラインセンサ１０、２０とを備え、被写体を画像データとしてラインセンサ１０、２０により読み取り、読み取った画像データに基づいて被写体を画像として映像表示部１に表示する表示装置である。
【００１８】
図１の装置の特徴の１つは、ラインセンサ１０、２０を、左右方向と上下方向との２方向に垂直に配置している点である。このため、この装置では、上下方向のスキャンと、左右方向のスキャンと、の２方向スキャンを行うことができる。このように被写体を２方向スキャンし、これにより得られた２種類の画像データを演算処理することで、小面積のラインセンサを用いつつも、大面積のエリアセンサとほぼ等しい高い精度で被写体の画像を表示することができるようにしている。
【００１９】
次に、上記演算処理回路について説明する。この処理回路は、簡単には、左右方向ラインセンサ１０と上下方向ラインセンサ２０からの第１画像データと第２画像データとを比較して収縮・伸張量の少ない画像データを作成し、これに基づいて被写体の画像を表示部２に表示させるものである。
【００２０】
以下には、演算処理回路を説明するに当り、２つのラインセンサ１０、２０からどのような操作によって２つのセンサ信号を得るのかを説明し、その後に、この演算処理回路の回路動作について説明する。以下では、横９ｃｍ、縦９ｃｍの写真を被写体として読み取る場合について説明する。
【００２１】
（１）まず、映像表示モードからセンサモードに切り替え、さらにこのセンサモードにおいて２方向スキャンモードを選択する。このとき、表示装置１は、表示部２が上向きになるようにセットされている。センサモードに切り替えた際には、移動位置表示部１９、２９に点状の光が点灯する。
【００２２】
（２）次に、読み取り対象としての写真をその画像面を下向きにして表示面２の上に重ねる。この際、写真の右下の端と、表示部２の右下の端と、が一致するように位置合わせする。この位置を基点とする。
【００２３】
（３）次に、上下方向スキャンボタン（図示しない）を押す。このボタンを押すと、上下方向移動位置表示部２９に表示された目安の点が５ｃｍ／秒の速度で上から下に移動し始める。作業者は、この目安の点の動きに合わせ、写真を上から下に移動させる。これが上下方向のスキャンである。このスキャンの間、左右方向ラインセンサ１０のセンサ素子は、０．００５秒毎に対象とする写真を読み取ってセンサ信号を出力する。この上下方向のスキャンは、本来は１．８秒で終了しデータ数は３６０行となることを想定しているが、マージンを見て２．２５秒間行いデータ数を４５０行とする。上下方向スキャンボタンを押してから２．２５秒経過すると、上下方向のスキャンが終了する。上記のセンサ信号は、第１画像情報信号として、ＣＰＵメモリに入力される。この第１画像情報信号は、左右方向（第１方向）に３６０個、上下方向（第２方向）に４５０個、マトリクス状に並んだデータである。ここで、この第１画像情報信号は、上下方向スキャンで得られるデータなので、左右へのぶれを無視すれば、実質的に左右方向への収縮・伸張量のないデータである。ただし、手動によるものであるため、２．２５秒間の移動速度が一様とはなりにくく、よって上下方向への収縮・伸張量を含んだ画像データとなるのが避けられない。
【００２４】
（４）次に、写真を基点に戻す。
【００２５】
（５）次に、左右方向スキャンボタン（図示しない）を押す。このボタンを押すと、左右方向移動位置表示部１９に表示された目安の点が５ｃｍ／秒の速度で左から右に移動し始める。作業者は、この目安の点の動きに合わせ、写真を左から右に移動させる。これが左右方向のスキャンである。このスキャンの間、上下方向ラインセンサ２０のセンサ素子は、０．００５秒毎に対象とする写真を読み取ってセンサ信号を出力する。この左右方向のスキャンは、本来は１．８秒で終了しデータ数は３６０列となることを想定しているが、マージンを見て２．２５秒間行いデータ数を４５０列とする。左右方向スキャンボタンを押してから２．２５秒経過すると、左右方向のスキャンが終了する。上記のセンサ信号は、第２画像情報信号として、ＣＰＵメモリに入力される。この第２画像情報信号は、左右方向に４５０個、上下方向に３６０個、マトリクス状に並べられたデータである。ここで、この第２画像情報信号は、左右方向スキャンで得られるデータなので、上下方向へのぶれを無視すれば、実質的に上下方向への収縮・伸張量のないデータである。ただし、手動によるものであるため、２．２５秒間の移動速度が一様とはなりにくく、よって左右方向への収縮・伸張量を含んだ画像データとなるのが避けられない。
【００２６】
（６）この様にして得られた第１画像情報信号および第２画像情報信号は、前記演算処理回路に加えられる（Ｓ１、Ｓ２）。この演算処理回路は次の様に動作するものとして構成されている。即ち、第１画像情報信号および第２画像信号から、画像の明暗等を基にして、被写体が写されている領域としての第１画像データおよび第２画像データのデータサイズを決定する（Ｓ３）。例えば、上下方向スキャン（第２の移動）の際の写真の移動速度が予め想定した速度よりも速かった場合には、画像に対応するデータ行は、例えば３００行となる。この場合、上下方向スキャンで得られる第１画像情報信号のうち、（左右方向に３６０個）×（上下方向に３００個）のマトリクス状に並べられた領域を、被写体が写された第１画像データであると決定する。また、左右方向スキャン（第２の移動）の際の写真の移動速度が上記想定した速度よりも遅かったと仮定すると、左右方向スキャンで得られる第２画像情報信号のうち、例えば（左右方向に４２０個）×（上下方向に３６０個）のマトリクス状に並べられた領域を、被写体が写された第２画像データであると決定する。
【００２７】
（７）上記の第１画像データは、別の見方をすると、上下方向（第２方向）に連なる３００個のデータを１つの第１データ列として、左右方向に並んだ３６０列の第１データ列からなる。また、上記の第２画像データは、上下方向に連なる３６０個のデータを１つの第２データ列として、左右方向に並んだ４２０列の第２データ列からなる。ここでは、各データ列を列ブロックデータと呼ぶこととする。このような見方をすることは、列ブロックデータの切り出しを行ったものと把握することができる（Ｓ４）。
【００２８】
（８）次に、演算回路により、３６０列の第１データ列と４２０列の第２データ列とから一致する第１、第２データ列を検索する。この検索では、例えば、第１及び第２データの各列ブロックデータにおいて、予め、Ｒ（赤色）成分の積算強度、Ｇ（緑色）成分の積算強度およびＢ（青色）成分の積算強度、を求めておく。そして、第１データ列および第２データ列の各列ブロックデータにおいて互いにＲＧＢの積算強度が一致又は極めて近い値となったときに一致と判断する。
【００２９】
前述のように、上記の左右方向スキャン（第２の移動）から得られる第２データ列では左右方向の収縮・伸張量が多いのに対し、上下方向スキャン（第１の移動）から得られる第１データ列では左右方向の収縮・伸張量は少ない。そこで、上記の検索により、第２データ列の左右方向の収縮・伸張量を補正する。ただし、この検索では、例えば、第２データが第１データの２倍よりも大きく収縮・伸張することはないとして、その範囲で照合を行う。
【００３０】
具体的には、まず、第２画像データの１列目の第２データ列を基準として第１画像データの各第１データ列を見ていく。１列目の第２データ列は、通常、１列目の第１データ列と一致する。次に、２列目の第２データ列を基準にして、２〜４列目の第１データ列と比較する。一致するものがないときには、３列目の第２データ列を基準にして、２〜６列目の第２データ列と比較する。ここでも一致するものがなければ、３列目の第２データ列を基準にして、２〜６列目の第１データ列と比較する。これを順次繰り返し、例えば、４０列目の第２データ列と、３６列目の第１データ列と、が一致したとする。この時には、１〜４０列目の第２データ列の間隔を３６／４０に圧縮する（Ｓ４〜Ｓ５）。つまり、４０列の検索済第２データ列の相互の間隔を、対応する３６列の検索済第１データ列の間隔に一致させる補正をして、左右方向の移動（第２の移動）に伴う第２画像データにおける左右方向（第１方向）への伸張量を補正する。次に、４１列目の第２データ列を基準として、３７列目以降の第１データ列について一致する列ブロックデータを検索する（Ｓ６）。以下は、同様の動作を繰り返し（Ｓ５〜Ｓ７）、列ブロックデータの切り出しがすべて終了するまで演算処理を行う（Ｓ７）。
【００３１】
（９）次に、列ブロックデータの処理により第２画像データの左右方向の収縮・伸張の補正が終了したら、同様に、行ブロックデータの処理により第１画像データの上下方向の収縮・伸張の補正を行う。なお、行ブロックデータの処理を省略することもできる。処理した情報は、ＣＰＵメモリに保存される（Ｓ８）。
【００３２】
以上の処理で得られた画像データは、ＣＰＵメモリから読み出して、表示部２に表示することができる。また、この画像データを、他の携帯端末等に送信することもできる。
【００３３】
以上説明した図１の表示装置１では、走査入力するラインセンサ１０、２０を、左右方向のものと、上下方向のものと、の２組を配置し、２方向へのスキャンで読み取りを行うことができるようにした。そして、１方向への画像データを他方向への画像データで補正するようにしたので、手動で被写体を移動させることによる移動速度のばらつきに起因するデータの誤差を高い精度で補正し、被写体の画像を高精度のものとすることができる。よって、収縮・伸張が少ない画像を表示部２に表示することができる。
【００３４】
また、図１の表示装置では、２回のスキャンが必要になるものの、１回のスキャンにかかる時間は約２．２５秒であり、実際の使用においては必ずしもスキャン時間が長くなりすぎたりスキャンが煩雑になりすぎたりするということはない。
【００３５】
このように、図１の表示装置では、被写体を読み取るセンサとしてラインセンサ１０、２０を用いつつも、エリアセンサを用いたのと同様に被写体の画像を適正に表示することができる。このため、被写体の画像を適正に表示しつつ、エリアセンサを用いたものに比して、センサの面積を小さくし、携帯性を高めることができる。
【００３６】
以上説明した図１の表示装置１では、左右方向ラインセンサ１０の長さを表示部２の横幅より狭くしたが、左右方向ラインセンサ１０の長さを表示部２の横幅と同じにすることもできる。また、上下方向ラインセンサ２０の長さを表示部２の縦幅よりも狭くしたが、上下方向ラインセンサ２０の長さを表示部２の縦幅と同じにすることもできる。
【００３７】
また、図１の表示装置１におけるデータ処理においては、説明を分かり易くするため、収縮・伸張の補正についてのみ説明した。しかし、さらにデータを細分化すれば、回転の補正を行うこともできる。
【００３８】
また、図１の表示装置のラインセンサ１０、２０は、表示装置を形成するプロセスの流れに沿ってその表示装置と同様に形成することが可能である。また、個別素子をＣＯＧ（チップ・オン・グラス）などの技術により実装することも可能である。
【００３９】
また、図１では、表示装置としてＰＤＡを用いたが、表示装置として携帯電話や携帯型テレビを用いることも可能である。
【００４０】
また、図１では、表示装置１に対して写真を手で動かしたが、写真に対して表示装置１を手で動かすことも可能である。
【００４１】
（第２の実施の形態）
第２の実施の形態の表示装置は、携帯電話である。この携帯電話では、図３、図４に示すように、左右方向ラインセンサ１０〜１４を上下に５つ並べている。この装置では、各ラインセンサ１０〜１４からの画像情報信号を比較することで、上下方向への移動の速度を検出することができる。そして、この移動の速度をもとに、上下方向への収縮量・伸張量が補正された画像データを得て、被写体の画像を適正に表示部２に表示することができる。
【００４２】
図３は、本発明の第２の実施の形態の表示装置の表面図である。また、図４は、この表示装置の断面図である。これらの図は、携帯電話のうち、表示部分を示しており、操作ボタンの部分は省略している。表示部２は、４．５ｃｍ（横）×５．１ｃｍ（縦）であり、１８０（横）個×２０４（縦）の画素からなる液晶表示装置である。この表示部２は、アレイ基板３０上に形成され、ランプ４１により発生されたフロントライト４０からの表示光を用いて表示を行う。表示部２の外側位置には、それぞれ左右方向（第１方向）に走り且つ互いにほぼ平行に配置された５本のラインセンサ１０〜１４が形成されている。各ラインセンサ１０〜１４は、左右方向の長さが４．５ｃｍ、上下方向の長さが２５０μｍ、である。これらの各ラインセンサ１０〜１４は、横に並べられた１８０個のセンサ素子で構成されている。それぞれのセンサ素子の大きさは、２５０μｍ×２５０μｍである。この各ラインセンサ１０〜１４は、被写体を上下方向（第２方向）に相対的に移動させることにより、この被写体を画像情報信号として読み取る。この５本のランセンサ１０〜１４は、上下方向のスキャンの際に、間隔０．０１秒のパルス信号に同期して被写体から画像情報信号を読み取る。この各ラインセンサ１０〜１４は、データ処理部１５内に、１組が１８０個のメモリ素子からなる４組のラインメモリを有している。各ラインセンサ１０〜１４の各センサ素子が読み取ったセンサ信号は、この４組のラインメモリの各メモリ素子に順次保存される。
【００４３】
図３、図４の携帯電話では、通常表示モード時には、通常の携帯電話と同様に、表示部２に、電話番号や通話時間等が表示される。これに対し、センサモード（ハンドスキャンモード）時には、ラインセンサ１０〜１４で被写体から画像情報信号を読み取って、これにより得られた画像データを基に、被写体の画像を表示部２に表示する。具体的には、例えば、表面を上にして被写体たる写真を机の上に置き、携帯電話の表示部２を下向きにして、携帯電話を手で上下に動かし、ラインセンサ１０〜１４で写真から画像情報信号を読み取って、この画像を表示部２に表示する。ここで、携帯電話を動かす際には、なるべく、推奨移動速度（５．０ｃｍ／秒）に近い速度になるようにする。この推奨移動速度でスキャンを行えば、ラインセンサ１０〜１４は、各サンプリング間隔毎に、ラインセンサ１０〜１４の２本分の距離（５００μｍ）だけ移動する。
【００４４】
以上説明した図３、図４の携帯電話では、ラインセンサ１０〜１４を設けたので、被写体をスキャンすることにより、被写体の情報を取り込むことができる。もっとも、スキャンは手動で行うため、推奨移動速度で正確にスキャンを行うことは極めて困難である。そして、スキャンが推奨移動速度からずれると、読み取った画像情報信号がスキャン方向である上下方向に収縮・伸張するおそれがある。そこで、図３、図４の装置は、ラインセンサ１０〜１４を５本設け、移動速度がずれても、この収縮・伸張を補正することができるようにしている。以下、説明する。
【００４５】
図３、図４の装置では、５つのラインセンサ１０〜１４を設けているので、上下方向のスキャンの移動の速度が求められる。この移動の速度は、次のようにして算出される。まず、各ラインセンサ１０〜１４が、被写体の１回目のサンプリングを行う。各ラインセンサ１０〜１４において、このサンプリングにより得られた画像情報信号は、データ処理部１５内の第１のラインメモリに保持される。このラインメモリからは、積算強度が算出される。次に、０．０１秒後に、各ラインセンサ１０〜１４が、２回目のサンプリングを行う。このサンプリングにより得られた画像情報信号は、データ処理部１５内の第２のラインメモリに保持され、その積算強度が算出される。３回目、４回目のサンプリングにより得られた画像情報信号は、第３、第４のラインメモリに保持され、それぞれ積算強度が算出される。５回目のサンプリングにより得られた画像情報信号は、第１のラインメモリに上書き保存され、積算強度が算出される。６〜９回目のサンプリングにより得られた画像情報信号は、第２〜４のラインメモリに上書き保存され、積算強度が算出される。これを順次繰り返す。この間に、順次、各サンプリングにおける各ラインメモリの積算強度を比較する。例えば、１回目のサンプリングにおける第１のラインセンサ１０の第１のラインメモリの積算強度と、２回目のサンプリングにおける第３のラインセンサ１２の第２のラインメモリの積算強度と、が一致すれば０．０１秒に被写体がラインセンサ２本分（５００μｍ）移動したと判断する。つまり被写体における同一箇所から得られる同一の画像情報信号を、１番目のパルス信号によって読み取った第１のラインセンサ１０と、２番目のパルス信号によって読み取った第３のラインセンサ１２との距離５００μｍから、移動の速度５００／｛０．０１・（２−１）｝＝５００００μｍ／ｓ＝５．０ｃｍ／ｓを算出する。また、１回目のサンプリングにおける第１のラインセンサ１０の第１のラインメモリの積算強度と、２回目のサンプリングにおける第５のラインセンサ１４の第２のラインメモリの積算強度と、が一致すれば０．０１秒に被写体がラインセンサ４本分（１０００μｍ）移動したと判断する。これにより、被写体の移動速度は１０ｃｍ／ｓと算出される。また、１回目のサンプリングにおける第１のラインセンサ１０の第１のラインメモリの積算強度と、３回目のサンプリングにおける第４のラインセンサ１３の第３のラインメモリの積算強度と、が一致すれば０．０２秒に被写体が７５０μｍ移動したと判断する。これにより、被写体の移動速度は３．７５ｃｍ／ｓと求められる。また、１回目のサンプリングにおける第１のラインセンサ１０の第１のラインメモリの積算強度と、２回目のサンプリングにおける第２のラインセンサ１３の第３のラインメモリの積算強度と、が一致すれば０．０１秒に被写体が２５０μｍ移動したと判断する。これにより、被写体の移動速度は２．５０ｃｍ／ｓと求められる。このように、被写体における同一箇所から得られる同一の画像情報信号を、ｎ番目のパルス信号によって読み取ったラインセンサと、ｍ（ｍ＞ｎ）番目の前記パルス信号によって読み取った他のラインセンサと、の距離ｄから、移動の速度ｄ／｛ｘ（ｍ−ｎ）｝を算出する。
【００４６】
上記の説明では、各ラインメモリにおいて、１８０個のメモリ素子の積算強度を求め、その積算強度を第１〜第５のラインセンサ１０〜１４で比較する場合を説明している。もっとも、１つのラインメモリのすべてのメモリ素子の積算値を求めると、処理時間が長くなるという問題がある。また、すべてのメモリ素子の積算強度を求めてから比較を行うと、検出性能（隣接データの一致判断の精度）に問題が残る。そこで、ラインメモリを分割化し、分割化したラインメモリ毎に積算強度の計算を実施し、これを相互に比較して、一致性については多数決回路により判定する方法が好ましい。例えば、各ラインセンサを１０個のメモリ素子毎に１８区間に分割化し、各区間毎に積算強度の計算を実施し、この各区間毎に第１〜第４のラインメモリを比較して、一致性については１８区間中１０区間以上の一致により一致性ありと判断する。
【００４７】
上記のようにして検出された移動速度をもとに、図３、図４の表示装置では、情報処理部１５により、画像情報信号の読み出し速度の調整が行わる。すなわち、移動速度が標準の場合（５．０ｃｍ／秒）には、１回のサンプリング間隔（０．０１秒）でラインセンサ２本分（５００μｍ）だけ移動が起こる。このように移動速度が標準の場合には、１回のサンプリングで、第１のラインセンサ１０および第２のラインセンサ１１の２本のラインセンサのラインメモリから画像情報信号を読み出し、ＣＰＵメモリに送る。次に、移動速度が標準の１．５倍（７．５ｃｍ／秒）になり１スキャンの間（０．０１秒）でラインセンサ３本分（７５０μｍ）だけ移動するときは、１回のサンプリングで第１〜３のラインセンサ１０〜１２の３本のラインセンサのラインメモリから画像情報信号を読み出し、ＣＰＵメモリに送る。さらに、移動速度が標準の２倍（１０．０ｃｍ／秒）になり１スキャンの間（０．０１秒）でラインセンサ４本分（１０００μｍ）だけ移動するときは、１回のサンプリングで第１〜４のラインセンサ１０〜１３の４本のラインセンサのラインメモリから画像情報信号を読み出し、ＣＰＵメモリに送る。一方、移動速度が標準の３／４倍（３．７５ｃｍ／秒）になり２スキャンの間（０．０２秒）でラインセンサ３本分（７５０μｍ）だけ移動するときは、２回のサンプリングで第１〜３のラインセンサ１０〜１２の３本のラインセンサのラインメモリから画像情報信号を読み出し、ＣＰＵメモリに送る。さらに、移動速度が標準の１／２倍（２．５ｃｍ／秒）になり１スキャンの間（０．０１秒）でラインセンサ１本分（２５０μｍ）だけ移動するときは、１回のサンプリングで第１のラインセンサ１０のラインメモリからセンサ信号を読み出し、ＣＰＵメモリに送る。このように、移動速度が標準の場合には同時サンプリングしたデータのうち２ラインの画像情報信号をＣＰＵメモリに保存し、移動速度が標準よりも速い場合は多数ラインの画像情報信号をＣＰＵメモリに保存し、移動速度が標準よりも遅い場合は少数ラインの画像情報信号をＣＰＵメモリに保存する。つまり、各ラインセンサから読み出された信号の積算強度の変化により、同時サンプリングしたラインセンサの画像情報信号の保存量（ライン数）を決定する。そして、これにより、適切な画像データを得ることができる。
【００４８】
以上のように、図３、図４の装置では、移動速度が推奨移動速度からずれた場合でも、被写体から読み取った画像情報信号を適切に補正することができる。このため、ラインセンサ付きの携帯電話において、被写体の画像を正確に表示部２に再現することができる。
【００４９】
また、図３、図４の装置では、情報処理部１５により計算された上記の移動速度を、表示部２の上側のなどにモニタ出力として表示することもできる。さらに、この移動速度が速すぎたり遅すぎたりして適切な補正が困難な場合には、光や音声などにより、作業者に、移動速度エラーを知らせることができる。これにより、移動速度が推奨移動速度から大きくずれていれば、作業者は、直ちに走査をやり直すことができる。また、この場合、１回の走査を行う毎に表示部２に直ちに移動速度が表示されるので、作業者は、走査の直後にこの移動速度を確認して、推奨移動速度に近い速度で移動させることを習得することができる。
【００５０】
また、図３、図４の表示装置は、被写体を表示部２に等倍で表示するものである。このため、被写体の横の長さは４．５ｃｍ以内とする必要がある。もっとも、縦の長さは５．１ｃｍより長くても、１回のスキャンで読み取り、表示部２に表示することができる。例えば、横４．５ｃｍ、縦１０ｃｍの被写体を１回のスキャンで読み取り、２画面に分けて表示部２に表示することができる。つまり、表示部２が小型であるにもかかわらず、上下方向に長い被写体を１回のスキャンで読み取ることができる。
【００５１】
以上説明した図３、図４の表示装置では、上下方向のラインセンサ１０〜１４を５本にしたが、これを２本以上とすることもできる。また、ラインメモリの本数を変えることもできる。
【００５２】
また、図３、図４の表示装置では、１回のサンプリング間隔（０．０１秒）でラインセンサ２本分（２５０μｍ）だけ移動する場合について説明した。しかし、サンプリング間隔を短くし、より詳細に移動速度を計算し、さらに補正の精度を高めることも可能である。
【００５３】
また、図３、図４の表示装置は、複数の左右方向ラインセンサ１０〜１４を設けて縦方向スキャンを行ったが、複数の上下方向ラインセンサを設けて横方向スキャンを行っても、同様の効果が得られる。
【００５４】
また、図３、図４の表示装置では、被写体に対して表示装置を手で動かしたが、表示装置に対して被写体を手で動かすこともできる。
【００５５】
また、図３、図４の表示装置では、左右方向ラインセンサ１０〜１４に加え、第１の実施の形態（図１）のように、上下方向ラインセンサ２０も設けることもできる。また、上下方向ラインセンサ１０と左右方向ラインセンサ２０を設け、さらに、上下方向と左右方向のラインセンサを共に複数にして、さらに読み取り精度を高めることも可能である。
【００５６】
（第３の実施の形態）
第３の実施の形態の表示装置は、携帯電話（図４参照）において、図５に示すように、ラインセンサ１０〜１４と、表示部２と、をアレイ基板３０の反対面に配置した装置である。これにより、携帯電話において、表示部２を上向きにして、この表示部２を見ながら、被写体５０の情報をリアルタイムで確認しつつ、被写体５０の情報を読み込むことが可能となる。
【００５７】
図５は、本発明の第３の実施の形態の表示装置を示す断面図である。平面図は、第２の実施の形態（図３）とほぼ同様であり、省略する。図５の表示装置１では、アレイ基板３０の一方の面上に、表示部２と、第１〜第５のセンサ素子部１０Ａ〜１４Ａと、データ処理部１５と、が形成されている。表示部２は、ランプ４１により発生されたフロントライト４０からの表示光を用いて表示を行う。アレイ基板３０の反対側の面には、第１〜第５のラインセンサ１０〜１４が形成されている。
【００５８】
この図４の装置でも、センサモード（ハンドスキャンモード）と、通常表示モードと、が選択可能になっている。センサモード時には、スキャンボタンを押すことにより、ラインセンサ１０〜１４がオンになる。スキャンボタンを押すと、ラインセンサ１０〜１４は、ランプ４１からの光を被写体（読取り原稿）５０にあてながら、被写体５０を読み取る。そして、被写体５０から反射された光をセンサ素子部１０Ａ〜１４Ａに送る。センサ素子部１０Ａ〜１４Ａは、この光を画像情報信号に変える。そして、各ラインセンサ１０〜１４で得られた画像情報信号から、第２の実施の形態と同様に、移動速度を計算し、画像情報信号の補正を行う。この補正により、画像データが得られる。そして、この画像データもとに、被写体の画像が表示部２に表示される。
【００５９】
以上説明した図４の表示装置では、読み取った原稿５０の情報を表示部２でリアルタイムに確認することができる。これにより、使用者は、読み取り位置が適正であるかどうか、スイッチの操作に誤りがないかどうかなどを、リアルタイムで確認することができる。
【００６０】
（第４の実施の形態）
第４の実施の形態の表示装置は、携帯電話である。この携帯電話では、図６、図７に示すように、表示部２を構成する液晶表示装置の補助容量としてメモリ素子を用いたものである。このメモリ素子をラインセンサ１０を構成するセンサ素子のバッファメモリと共通化することで、データ処理部１５を小型化している。これにより、さらに携帯性に優れた装置を提供することができる。
【００６１】
図６は、本発明の第４の実施の形態の表示装置１を示す図である。表示部２は、液晶表示装置であり、左右方向に１８０個、上下方向に２００個、マトリクス状に並べられた１８０×２００個の画素を有する。この表示部２の下側には、ラインセンサ１０が設けられている。このラインセンサ１０は、左右方向に並べられた１８０個のセンサ素子によって構成される。この装置では、表示モード時には、表示部２に、電話番号や時刻が表示される。また、センサモード時には、表示部２に、ラインセンサ１０が読み取った情報が表示される。ラインセンサ１０の下側には、データ処理部１５が設けられている。このデータ処理部１５は、本実施形態では、バッファメモリを含まず、線順次出力回路（情報順次出力回路）だけからなる。
【００６２】
図７は、図６の装置の回路構成を示す図である。表示部２は、マトリクス状に並べられ、それぞれがゲート電極、ソース電極、およびドレイン電極を有し、ドレイン電極にメモリ素子および表示電極が電気的に接続された、１８０個（横）×２００個（縦）のトランジスタ（ＴＦＴ）を有する。また、このマトリクスにおける左右方向（行方向）に平行な２００本のゲート線（ゲート電極線）と、このマトリクスにおける上下方向（列方向）に平行な１８０本の信号線（ソース電極線）と、を有する。各ゲート線はそれが対応する各行（左右方向）に並ぶ１８０個のトランジスタのそれぞれにおけるゲート電極と電気的に接続され、各信号線はそれが対応する各列（上下方向）に並ぶ２００個のトランジスタのそれぞれのソース電極と電気的に接続されている。上記の各トランジスタの各メモリ素子は、通常の液晶表示装置における補助容量と同様の機能を有している。このメモリ素子としては、例えば、Ｓ−ＲＡＭを用いることができる。なお、ここでは、理解を容易にするため、各画素に１ビットのメモリ素子を接続した白黒の表示装置について示している。トランジスタ、補助容量、メモリ素子、表示電極、ゲート線ドライバおよび信号線ドライバの動作は、通常の液晶表示装置と同様であり、詳細な説明は省略する。
【００６３】
図７のセンサ素子は、ラインセンサ１０を構成する素子である。このセンサ素子は、１８０個設けられている。各センサ素子は、左右方向（行方向）に並べられ、被写体を所定の時間間隔で読み取ってそれぞれセンサ信号を出力する。各センサ素子は、対応する各ソース電極線と電気的に接続され、これにより、各メモリ素子に対応する各センサ素子からの各センサ信号を各メモリ素子に記憶可能になっている。
【００６４】
図６、図７の表示装置１は、映像表示モードと、センサモードと、を有する。映像表示モードの時には、通常の液晶表示装置と同様に、映像出力部（外部）からの各映像信号が、各信号線を通じて各表示電極に伝達されると共に、各信号線に各トランジスタを介して接続された補助容量としての各メモリ素子に蓄えられる。
【００６５】
また、センサモードの時には、このモードを選択することにより、センサ素子がオンになる。このセンサモードの時に、ラインセンサにおける各センサ素子は、所定のパルス信号に同期して所定の時間間隔で各センサ信号を順次出力する。この各センサ信号は、対応するソース線を介して、各センサ素子に接続されたメモリ素子へ送られる。このセンサモード時には、信号線と、信号線ドライバと、は切り離されており、映像出力部からの映像信号は信号線に送られず、センサ素子からのセンサ信号が信号線に送られる。このセンサ信号は、ゲート線ドライバが線順次走査されることで、画素のメモリ素子の１つに順次蓄積される。例えば、図中１番左側のセンサ素子は、１回目のパルス信号により得られる第１のセンサ信号を上から１番上のメモリ素子に蓄積し、２回目のパルス信号により得られる第２のセンサ信号を上から２番目のセンサ信号に蓄積し、第３のセンサ信号を上から３番目のセンサ信号に蓄積し、以下、センサ信号をメモリ素子の１つに順次蓄積する。また、このセンサ信号は、メモリ素子に蓄積されると同時に、表示電極に伝達され、リアルタイムで画素に表示される。その後、メモリ素子に蓄積されていたセンサ信号は、ゲート線ドライバで順次走査されて、信号線を通して、線順次出力回路１５に受け渡される。線順次出力回路１５では、センサ信号を、シフトレジスタなどを用いて順次送り出すことで、シリアル信号として出力する。出力されたシリアル信号は、ＣＰＵメモリ（図示しない）に保持される。被写体の読み取りが終了したら、ＣＰＣメモリの全情報を読み出すことで、表示部２に、被写体の全体の画像を再現する。
【００６６】
以上説明した図６、図７の装置の特徴の１つは、各画素の補助容量としてメモリ素子を用い、このメモリ素子がセンサ素子のバッファメモリを兼ねている点である。すなわち、このメモリ素子は、通常の通常表示モード（映像表示モード）時には、上述のように、各画素の補助容量の役割をする。また、このメモリ素子は、センサモード時には、センサ素子からのセンサ信号を保持する。そして、図７の信号線は、表示モード時に映像出力部からの映像信号を画素に送る機能、センサモード時にセンサ素子のセンサ信号をメモリ素子に送る機能、メモリ素子の保持データを出力する機能、を有する多機能配線となる。このように、メモリ素子にバッファメモリの役割をさせ、信号線を多機能配線とすることで、データ処理部１５のバッファメモリをなくし、データ処理部１５を小型化して、装置をさらに小型化することができる。
【００６７】
また、図６、図７の表示装置では、左右方向の画素の数１８０と、左右方向ラインセンサ１０のセンサ素子の数１８０と、を同一にし、１本の信号線に１個のセンサ素子を接続したので、回路を単純にし、情報処理を簡単にすることができる。
【００６８】
以上説明した図６、図７の表示装置では、信号線ドライバ回路に信号変換機能を持たせることで、センサ素子からのセンサ信号が微弱な場合にセンサ信号を増幅したり、検出用途によってセンサ信号の信号レベルを変えたりすることもできる。
【００６９】
また、図７では、センサ素子からのセンサ信号と、映像出力部からの映像信号と、を同一の信号線を通してメモリ素子に送った。このため、映像モード時と、センサモード時と、で信号線ドライバの接続先回路の切り替えを行った。しかし、センサ信号と映像信号とにそれぞれ別々の信号線を設け、このような切り替えをなくすこともできる。
【００７０】
また、図６、図７の表示装置では、左右方向の画素の数と、左右方向ラインセンサ１０のセンサ素子の数と、を同一にして各信号線に各センサ素子を接続した。しかし、必要に応じて、センサ素子の数を増やして、各信号線に複数のセンサ素子を接続しても良い。つまり、センサ素子の数を画素の数の自然数倍にしても良い。また、センサ素子の数を減らして、複数のセンサ素子に対して１本の信号線を接続しても良い。つまり、センサ素子の数を画素の数の自然数分の１にしても良い。このように自然数分の１または自然数倍にするならば、情報処理が複雑になりすぎることはない。
【００７１】
また、図７では、理解を容易にするために、各画素に１ビットのメモリ素子を接続しが、ビット数を高くして、最大解像度を高くすることもできる。例えば、６ビットのメモリを設ければ、６倍の解像度を得ることができる。このようにメモリを６倍にしても、反射型の液晶表示装置であれば、輝度が低下することはない。また、ビット数を高くして、白黒（モノクロ）ではなくカラーの表示装置を用いることもできる。なお、カラーとモノクロとでは、同じビット数であれば、ＲＧＢ分の３倍解像度が異なるから、モノクロの解像度がカラーの解像度の３倍になる。また、走査速度に対するサンプリング周波数を上げることでも、解像度を高くすることができる。
【００７２】
（第５の実施の形態）
第５の実施の形態の表示装置は、携帯型テレビである。この装置では、図８に示すように、第４の実施の形態（図５）と同様にデータ処理部１５、２５を小型化し、さらに、第１の実施の形態（図１）と同様にラインセンサ１０、２０を左右方向と上下方向とに設けている。装置の基本構造は、第１および第４の実施の形態と同様であり、詳細な説明は省略する。
【００７３】
図８の表示装置では、左右方向ラインセンサ１０、上下方向ラインセンサ２０、によりそれぞれ独立にスキャンし、画素のメモリ素子（図７参照）やＣＰＵメモリにそれぞれの情報を保持し、読み出し時に重み付け等の処理を加えることで、第１の実施の形態の装置と同様に、走査速度のばらつきを高い精度で補正し、被写体の情報を精度良く読み取ることができる。これにより、被写体の画像データを表示部２に正確に再現することができる。さらに、図８の表示装置では、画素の補助容量としてのメモリ素子と、ラインセンサ１０、２０のバッファメモリとしてのメモリ素子と、を共通化したので、データ処理部１５、２５を小型化することができる。これにより、画面を大きくしか携帯性に優れた携帯型テレビを提供することができる。
【００７４】
以上説明した各実施の形態では、それそれ、代表的な例として、ＰＤＡ、携帯電話、携帯型テレビを挙げて説明したが、各実施の形態に示した方法は、その例に限定されず、他の表示装置に用いることもできる。
【００７５】
【発明の効果】
本発明によれば、ラインセンサを有する表示装置において、左右方向ラインセンサと、上下方向ラインセンサと、の２方向のラインセンサを設け一方からの読み取りデータを他方のそれで補正するようにしたので、被写体の読み取り精度が高い表示装置を提供することができる。また、複数のラインセンサを並列に設け、各ラインセンサからのデータでスキャン速度を算出してそれによって読み取りデータを補正するようにしたので、被写体の読み取り精度が高く小型の表示装置を提供することができる。また、表示部の補助容量と、ラインセンサのバッファメモリとを共通化したので、さらに回路を小型化して、表示装置をより小型化することができる。
【図面の簡単な説明】
【図１】本発明の第１の実施の形態の表示装置の平面図。
【図２】本発明の第１の実施の形態の表示装置の情報処理の処理フローを説明する図。
【図３】本発明の第２の実施の形態の表示装置の平面図。
【図４】本発明の第２の実施の形態の表示装置の断面図。
【図５】本発明の第３の実施の形態の表示装置の断面図。
【図６】本発明の第４の実施の形態の表示装置の平面図。
【図７】本発明の第４の実施の形態の表示装置の回路構成を示す図。
【図８】本発明の第５の実施の形態の表示装置の平面図。
【図９】従来のラインセンサ付きの表示装置を示す図。
【符号の説明】
１  表示装置
２  表示部（映像表示部）
１０  左右方向ラインセンサ（第１のラインセンサ）
１１  第２のラインセンサ
１５  左右方向情報処理部
２０  上下方向ラインセンサ
２５  上下方向情報処理部
【図１】
2004304289.tif 000003
【図２】
2004304289.tif 000004
【図３】
2004304289.tif 000005
【図４】
2004304289.tif 000006
【図５】
2004304289.tif 000007
【図６】
2004304289.tif 000008
【図７】
2004304289.tif 000009
【図８】
2004304289.tif 000010
【図９】
2004304289.tif 000011